(57)【要約】【課題】エクステンションユニット付きサンバイザにおいて、エクステンションプレートを引き出した際、エクステンションプレート上縁側上方の隙間をなくし、遮光面積を拡大できるエクステンションユニット付きサンバイザを提供する。【解決手段】エクステンションプレート３２の背面側にサブプレート３３を回動自在に組み付け、エクステンションプレート３２をケース３１内に格納したときは、サブプレート３３はエクステンションプレート３２と一体にケース３１内に収容され、エクステンションプレート３２をケース３１から外方に引き出し、引き出しが完了する間際に、ケース３１の押圧ピン３５にサブプレート３３が押圧され、双方のカム作用によりエクステンションプレート３２の上縁側から外方にはみ出すように、サブプレート３３が回動して、遮光面積の拡大を図る。【選択図】  図５
2004161148.tif 000002
【特許請求の範囲】
【請求項１】
所望の遮光面積を有するサンバイザ本体（２０）に内装されたエクステンションユニット（３０）からエクステンションプレート（３２）を引き出すことにより、遮光範囲を拡大できるようにしたエクステンションユニット付きサンバイザ（１０）であって、
前記エクステンションユニット（３０）は、ケース（３１）内に引き出し自在にエクステンションプレート（３２）が収容されるとともに、このエクステンションプレート（３２）の一面に回動可能にサブプレート（３３）が取り付けられ、ケース（３１）からエクステンションプレート（３２）を引き出し操作した際、ケース（３１）内面の押圧ピン（３５）とサブプレート（３３）との間のカム作用により、サブプレート（３３）がエクステンションプレート（３２）の上縁部から上方部分に向けて立ち上がり、遮光範囲を拡大できるようにしたことを特徴とするエクステンションユニット付きサンバイザ。
【請求項２】
前記エクステンションユニット（３０）におけるエクステンションプレート（３２）とサブプレート（３３）には、一方側に三日月状の送り溝（３７）が開設され、他方側に送り溝（３７）内に挿入されるガイドピン（３８）が設けられていることを特徴とする請求項１に記載のエクステンションユニット付きサンバイザ。
【発明の詳細な説明】
【０００１】
【発明の属する技術分野】
この発明は、遮光面積を拡大できるエクステンションユニット付きサンバイザに係り、特に、エクステンションプレートを引き出した際、エクステンションプレートと天井との間の隙間を有効に遮蔽できるエクステンションユニット付きサンバイザに関する。
【０００２】
【従来の技術】
通常、車両の運転席及び助手席側の斜め上方には、太陽光線や夜間対向車のライト等を有効に遮蔽できるように車両用サンバイザが設けられている。
【０００３】
ところで、最近では、天井面にコンパクトに格納できるとともに、特に、サイドウインドウ越しの太陽光線を遮蔽する際に、広い遮光面積を確保できるように、図９に示すエクステンションユニット付きサンバイザ１が多用される傾向にある。
【０００４】
上記エクステンションユニット付きサンバイザ１は、所望の遮光面積を有するサンバイザ本体２が回動用シャフト２ａに回動自在に支承され、この回動用シャフト２ａは、ブラケット２ｂを介して車体側に取り付けられている。
【０００５】
従って、サンバイザ本体２は、回動用シャフト２ａ廻りに上下方向に回動操作できるとともに、ブラケット２ｂ廻りに回動用シャフト２ａを回動操作することにより、左右方向に回動可能であり、フロントウインドウはもとより、サイドウインドウ側からも遮蔽が可能である。尚、図９はサンバイザ本体２をサイドウインドウ側に回動操作した状態のエクステンションユニット付きサンバイザ１を車室内側からみた正面図である。
【０００６】
次いで、上記エクステンションユニット３は、サンバイザ本体２に内装される偏平状のケース４内にエクステンションプレート５が引き出し自在に収容されており、図１０に示すように、ケース４の開口４ａからサンバイザ本体２の長手方向に沿ってエクステンションプレート５を引き出して、遮光面積を拡大するようにしている（例えば、特許文献１参照。）。
【０００７】
【特許文献１】
特開平７−３０９１３２号公報（第２頁、図１）
【０００８】
【発明が解決しようとする課題】
このように、従来のエクステンションユニット付きサンバイザ１は、サイドウインドウ側に展開操作した後、サンバイザ本体２に格納されているエクステンションユニット３のエクステンションプレート５を開口４ａから外側に引き出し、図１０に示すように、サンバイザ本体２の遮光面積に対してエクステンションプレート５の遮光面積を付加することで、トータルとしての遮光面積を拡大するというものであるが、図示するように、サンバイザ本体２の縦幅（図中ａで示す）に対して、エクステンションプレート５の縦幅（図中ｂで示す）が短寸であるため、図中ｃで示す寸法分のスキが生じ、このスキを通して直射日光がサイドウインドウ越しに入射することで、充分な遮蔽効果を確保できるとは言い難いものであった。
【０００９】
この発明は、このような事情に鑑みてなされたもので、エクステンションユニット付きサンバイザにおいて、エクステンションプレートの幅寸法の制約を解消でき、遮光面積を拡大して、乗員の安全走行に大きく貢献できるエクステンションユニット付きサンバイザを提供することを目的とする。
【００１０】
【課題を解決するための手段】
上記目的を達成するために、本願発明は、所望の遮光面積を有するサンバイザ本体に内装されたエクステンションユニットからエクステンションプレートを引き出すことにより、遮光範囲を拡大できるようにしたエクステンションユニット付きサンバイザであって、前記エクステンションユニットは、ケース内に引き出し自在にエクステンションプレートが収容されるとともに、このエクステンションプレートの一面に回動可能にサブプレートが取り付けられ、ケースからエクステンションプレートを引き出し操作した際、ケース内面の押圧ピンとサブプレートとの間のカム作用により、サブプレートがエクステンションプレートの上縁部から上方部分に向けて立ち上がり、遮光範囲を拡大できるようにしたことを特徴とする。
【００１１】
ここで、サンバイザ本体は、サンバイザコアの外表面をサンバイザ表皮により被包して構成され、サンバイザコアとしては、射出成形体からなる中空芯材や、フレーム状のワイヤフレームをインサートした発泡ビーズ成形体等が使用できる。
【００１２】
次いで、サンバイザ本体内部に装着されるエクステンションユニットは、ケースとケース内に引き出し可能に収納されるエクステンションプレートと、このエクステンションプレートの一面に回動可能に重合され、エクステンションプレートのスライド操作と連繋して自動的に立ち上がるサブプレートから構成されている。上記ケース及びエクステンションプレート並びにサブプレートは、ＰＰ（ポリプロピレン）樹脂等の合成樹脂の射出成形体から構成されている。
【００１３】
例えば、エクステンションプレートの一面側にサブプレートが重ね合わされ、エクステンションプレートの孔内にサブプレートの軸支ピンを挿入することで、サブプレートは回動可能に支持されるとともに、ケースの内面で開口近くの位置に押圧ピンを突設し、エクステンションプレートの引き出し完了前に、このピンがサブプレートの縁部に当接し、双方のカム作用により、エクステンションプレートの引き出し操作に連繋してサブプレートが上方に押し上げられる。
【００１４】
従って、本発明によれば、エクステンションユニットにおけるケースからエクステンションプレートを外方に引き出し操作すれば、サブプレートもエクステンションプレートと一体に引き出され、更に、ケース内面に設けた押圧ピンがサブプレートのカム用縁部を押圧することで、天井側に向けてサブプレートが回動するため、エクステンションプレートと天井との間の隙間をサブプレートにより遮蔽することができる。
【００１５】
また、この発明の好ましい実施態様としては、前記エクステンションユニットにおけるエクステンションプレートとサブプレートには、一方側に三日月状の送り溝が開設され、他方側に送り溝内に挿入されるガイドピンが設けられていることを特徴とする。
【００１６】
従って、エクステンションユニットからエクステンションプレートを引き出し、それと連繋してサブプレートが上方に回動する際、三日月状の送り溝内に沿ってガイドピンがガイドされるため、サブプレートがガタツクことなく円滑に天井側に向けて回動する。
【００１７】
【発明の実施の形態】
以下、本発明に係るエクステンションユニット付きサンバイザの好適な実施の形態について、添付図面を参照しながら詳細に説明する。
【００１８】
図１乃至図５は本発明に係るエクステンションユニット付きサンバイザの第１実施形態を示すもので、図１はエクステンションユニット付きサンバイザをサイドウインドウ側に展開した状態を示す正面図、図２は同エクステンションユニット付きサンバイザにおけるエクステンションユニットの構成を示す分解図、図３乃至図５は同エクステンションユニットの使用形態を示す各説明図である。また、図６乃至図８は本発明に係るエクステンションユニット付きサンバイザの第２実施形態を示し、エクステンションユニットの使用形態を示す各説明図である。
【００１９】
まず、図１乃至図５に基づいて、本発明の第１実施形態を説明する。図面において、本発明に係るエクステンションユニット付きサンバイザ１０は、所望の遮光面積を有するサンバイザ本体２０と、このサンバイザ本体２０に内装されるエクステンションユニット３０とから大略構成されている。
【００２０】
更に詳しくは、サンバイザ本体２０は、Ｌ字状の回動用シャフト２１により回動可能に支承され、この回動用シャフト２１はブラケット２２に挿通され、ブラケット２２を車体天井側にビス等により取付固定することにより、サンバイザ本体２０が車体側に取り付けられている。
【００２１】
従って、サンバイザ本体２０を回動用シャフト２１の軸廻りに回動操作することにより、サンバイザ本体２０を上下方向に回動操作できるとともに、回動用シャフト２１をブラケット２２廻りに回動操作することにより、左右方向、すなわちフロントウインドウ側とサイドウインドウ側からの遮光機能が得られる。
【００２２】
図１はサンバイザ本体２０を下方向に回動操作した後、サイドウインドウ側に旋回した状態を示す正面図である。また、図示はしないが、サンバイザ本体２０は、サンバイザコアの外表面をサンバイザ表皮により被包して構成され、サンバイザコアとしては、ＰＰ樹脂など、汎用の合成樹脂の射出成形体や、ＰＰビーズ発泡成形体等が使用でき、サンバイザ表皮は、織布、不織布、合成樹脂シート等が使用できる。本実施形態では、エクステンションユニット３０は、ＰＰビーズ発泡成形体からなるサンバイザコアに設けた格納凹部２３内に収容された後、サンバイザ表皮により被包して構成されている。
【００２３】
次いで、エクステンションユニット３０の構成について図２を基に説明する。
【００２４】
エクステンションユニット３０は、偏平状のケース３１（上面側ケース３１ａと下面側ケース３１ｂを接合して偏平中空状のケースを構成する）と、ケース３１内部に引き出し自在に収容される略矩形状のエクステンションプレート３２と、エクステンションプレート３２の下面側に重ね合わされ、回動自在に支持されるサブプレート３３とから大略構成されている。上記ケース３１、エクステンションプレート３２及びサブプレート３３は、いずれもＰＰ等の汎用の合成樹脂の射出成形体から構成されている。尚、サンバイザコアとして、合成樹脂の射出成形体を使用する場合には、上記ケース３１をサンバイザコア内面に一体形成しても良い。
【００２５】
更に詳しくは、ケース３１に収容されるエクステンションプレート３２は、引き出しストロークを規制する引き出し端縁と反対側にストッパー突条３４ａが表面側に形成され、上面側のケース３１ａの開口近くには、ストッパー突条３４ａと突き当るストッパー突条３４ｂが形成されている。
【００２６】
そして、エクステンションプレート３２の裏面側にサブプレート３３が重ね合わされ、サブプレート３３の軸支ピン３３ａがエクステンションプレート３２の孔３２ａ内に挿入され、この軸支ピン３３ａを中心として、サブプレート３３はエクステンションプレート３２の下面側で回動自在に支持されている。
【００２７】
更に、このサブプレート３３の軸支ピン３３ａの近接位置には、カム用縁部３３ｂが湾曲状に形成されており、このカム用縁部３３ｂは、下面側のケース３１ｂの内面側に突出されている押圧ピン３５と連繋動作する。
【００２８】
また、ケース３１の入口側は、ガーニッシュ３６が取り付けられ、ガーニッシュ３６は、エクステンションプレート３２を引き出すための開口３６ａを備えるとともに、サンバイザ本体２０の表面側にこのガーニッシュ３６が露出する構成となっている。
【００２９】
このように、本発明に使用するエクステンションユニット３０は、ケース３１内にスライド自在にエクステンションプレート３２が収容され、このエクステンションプレート３２の裏面側にサブプレート３３が回動自在に支持されているという構成である。
【００３０】
更に、このエクステンションプレート３２の引き出し操作に連動して、ケース３１の内面に突設した押圧ピン３５と、サブプレート３３のカム用縁部３３ｂとのカム作用により、サブプレート３３が回動して従来の隙間（エクステンションプレート３２の上縁部上方に生じる）を埋めるように天井側に立ち上がり動作することが特徴である。
【００３１】
以下、図３乃至図５に基づいて、エクステンションユニット３０の動作について説明する。図３は、エクステンションユニット３０のケース３１内部にエクステンションプレート３２が収容されている状態である。そして、サンバイザ本体２０表面には、ガーニッシュ３６が露出しており、このガーニッシュ３６の開口３６ａを通してエクステンションプレート３２の引き出し端３２ｂが臨んでいる。
【００３２】
まず、サンバイザ本体２０をサイドウインドウ側に展開操作した後、遮光面積を拡大させるためには、このエクステンションプレート３２の引き出し端３２ｂを図３中矢印方向に引き出し操作する。図４は、エクステンションプレート３２の引き出し途中状態を示すもので、エクステンションプレート３２を引き出せば、エクステンションプレート３２の裏面側に支持されているサブプレート３３も同時に外方に引き出され、このサブプレート３３の下縁３３ｃは、下面側のケース３１ｂの内面に突設されている押圧ピン３５と摺接するようにサブプレート３３が移動する。
【００３３】
そして、図５に示すように、エクステンションプレート３２の引き出し操作が完了する間際には、下面側のケース３１ｂの内面に突設した押圧ピン３５がサブプレート３３のカム用縁部３３ｂを押圧して、サブプレート３３は軸支ピン３３ａを中心として、図５中反時計廻り方向に回動することで、エクステンションプレート３２の上方に立ち上がり、天井とエクステンションプレート３２との隙間を埋めるように動作する。
【００３４】
このように、本実施形態においては、エクステンションプレート３２の引き出し操作と連繋して、サブプレート３３が従来のスキを埋めるように回動することで、遮光範囲を拡大することができ、安全走行に大きく貢献することができる。
【００３５】
次いで、図６乃至図８は、本発明の第２実施形態を示すもので、この第２実施形態においては、サブプレート３３の回動動作をより円滑に行なうことが特徴である。尚、第１実施形態と同一部分には同一符号を付し、その詳細な説明は省略する。
【００３６】
この第２実施形態においては、サブプレート３３には、三日月状の送り溝３７が開設されているとともに、この送り溝３７の端末から端末に向けて移動するガイドピン３８がエクステンションプレート３２の裏面に突設されている。
【００３７】
従って、図６に示すように、ケース３１内にエクステンションプレート３２が収容されている状態においては、サブプレート３３における送り溝３７の上端３７ａにエクステンションプレート３２のガイドピン３８が位置している。
【００３８】
そして、図６に示すエクステンションプレート３２の収容状態から、エクステンションプレート３２の引き出し端３２ｂを外方に向けて引き出し、図７に示すエクステンションプレート３２の引き出し途中時の状態においては、サブプレート３３は、エクステンションプレート３２の裏面に支持され、エクステンションプレート３２と一体化して引き出されるが、エクステンションプレート３２のガイドピン３８は、サブプレート３３の送り溝３７の上端３７ａに位置している。
【００３９】
ところで、図８に示すように、エクステンションプレート３２の引き出しが完了する間際においては、下面側のケース３１ｂに設けた押圧ピン３５がサブプレート３３のカム用縁部３３ｂを押圧して、軸支ピン３３ａを基にサブプレート３３は反時計廻り方向に回動するが、このとき、サブプレート３３に設けた三日月状の送り溝３７内をエクステンションプレート３２に設けたガイドピン３８が送り溝３７の下端３７ｂまで移動することで、このガイドピン３８にガイドされながらサブプレート３３が回動することになる。
【００４０】
従って、サブプレート３３の回動動作がガタツクことなく円滑に行なえ、操作性を向上させるという利点がある。
【００４１】
【発明の効果】
以上説明した通り、本発明に係るエクステンションユニット付きサンバイザは、ケース内に引き出し自在なエクステンションプレートと、このエクステンションプレートの引き出し操作に連繋して回動するサブプレートを配設し、エクステンションプレートの引き出し操作により、遮光面積を拡大するのと同時に、サブプレートがエクステンションプレートの上部側を更に遮光することで遮光面積をより拡大させることができるため、従来、遮蔽が困難であったエクステンションプレートの上方部分をサブプレートで遮蔽できることから、安全走行に大きく貢献できるという効果を有する。
【図面の簡単な説明】
【図１】本発明に係るエクステンションユニット付きサンバイザの第１実施形態におけるエクステンションプレートの収納状態を示す正面図である。
【図２】図１に示すエクステンションユニット付きサンバイザにおけるエクステンションユニットの構成を示す分解図である。
【図３】図１に示すエクステンションユニット付きサンバイザにおけるエクステンションプレートの引き出し前の状態を示す説明図である。
【図４】図１に示すエクステンションユニット付きサンバイザにおけるエクステンションプレートの引き出し途中の状態を示す説明図である。
【図５】図１に示すエクステンションユニット付きサンバイザにおけるエクステンションプレートの引き出し操作並びにサブプレートの回動操作を示す説明図である。
【図６】本発明に係るエクステンションユニット付きサンバイザの第２実施形態におけるエクステンションプレートの収納状態を示す正面図である。
【図７】図６に示すエクステンションユニット付きサンバイザにおけるエクステンションプレートの引き出し途中の状態を示す説明図である。
【図８】図６に示すエクステンションユニット付きサンバイザにおけるエクステンションプレートの引き出し操作並びにサブプレートの回動操作を示す説明図である。
【図９】従来のエクステンションユニット付きサンバイザを示す正面図である。
【図１０】従来のエクステンションユニット付きサンバイザにおけるエクステンションプレートの引き出し操作を示す説明図である。
【符号の説明】
１０  エクステンションユニット付きサンバイザ
２０  サンバイザ本体
２１  回動用シャフト
２２  ブラケット
２３  格納凹部
３０  エクステンションユニット
３１  ケース
３１ａ  上面側ケース
３１ｂ  下面側ケース
３２  エクステンションプレート
３２ａ  孔
３２ｂ  引き出し端
３３  サブプレート
３３ａ  軸支ピン
３３ｂ  カム用縁部
３４ａ，３４ｂ  ストッパー突条
３５  押圧ピン
３６  ガーニッシュ
３６ａ  開口
３７  送り溝
３８  ガイドピン
【図１】
2004161148.tif 000003
【図２】
2004161148.tif 000004
【図３】
2004161148.tif 000005
【図４】
2004161148.tif 000006
【図５】
2004161148.tif 000007
【図６】
2004161148.tif 000008
【図７】
2004161148.tif 000009
【図８】
2004161148.tif 000010
【図９】
2004161148.tif 000011
【図１０】
2004161148.tif 000012